(57)【特許請求の範囲】
【請求項１】
管腔内肺容量減少を実施するためのシステムであって、該システムは、以下：
分離／アクセスカテーテルであって、近位端、遠位端、および該カテーテルを通って延びる少なくとも１つの管腔を有する、分離／アクセスカテーテル；
該分離／アクセスカテーテルに配置された膨張可能バルーン；
封鎖カテーテルであって、該分離／アクセスカテーテルの該少なくとも１つの管腔を通って送達されるように適合した、近位端、遠位端を備える、封鎖カテーテル、および
該封鎖カテーテルによって保持される閉鎖要素、
を備え、
ここで、該分離／アクセスカテーテルは、気管を通って肺気道へと、右肺または左肺の中の肺区域に供給する分岐した気管支において位置づけることができ、そして該膨張可能バルーンは、該分離／アクセスカテーテルが該肺気道を通って位置づけられているときに、該肺気道を閉塞するように膨張することができ、該封鎖カテーテルは、該分離／アクセスカテーテルの管腔を通って該肺気道内の位置へ導入され、そして該閉鎖要素は、該位置において該封鎖カテーテルから展開される、
システム。
【請求項２】
前記閉鎖要素が、膨潤可能なプラグを含む、請求項１に記載のシステム。
【請求項３】
前記閉鎖要素は、空気不透過性のカバーを備える拡張可能な固定器具のような機械的プラグを含む、請求項１に記載のシステム。
【請求項４】
前記分離／アクセスカテーテルがさらに、前方の観察を可能にするために配置された光ファイバースコープおよび光源を含む、請求項１〜３のいずれか１項に記載のシステム。
【発明の詳細な説明】
【０００１】
（関連出願の相互参照）
本出願は、出願番号第０９／３４７，０３２号（１９９９年７月２日出願、この開示全体は、本明細書中に参考として援用される）の一部継続出願である。
【０００２】
（発明の背景）
（１．発明の分野）
本発明は、概して、医療方法、システムおよびキットに関する。より詳細には、本発明は、肺組織の分離された区域を吸引することによって、肺容量を減少させる方法および装置に関する。
【０００３】
慢性閉塞性肺疾患は、１６００万人の人々（すなわち、米国の人口の約６％）が発症している重要な医療問題である。この群の特定の疾患としては、慢性気管支炎、喘息性気管支炎、および肺気腫が挙げられる。多くの治療的処置が使用され、提案されてきたが、完全に有効なものはなく、慢性閉塞性肺疾患は米国において４番目に多い死因のままである。従って、改良され、かつ代替の処置および治療が、かなり有益である。
【０００４】
本発明の特定の目的は、慢性閉塞性肺疾患のいくつかの形態を患っている患者における肺機能を、有効肺容量を減少させることによって、代表的には、肺の疾患部分を切除することによって、改善し得ることである。肺の疾患部分の切除は、肺の非疾患領域の拡大を促進させ、また肺の中に入るが酸素を血液に移すことができない吸入空気の部分を減少させる。肺縮小は、開胸手順または胸腔鏡手順で従来実施されているが、ここでは肺は、代表的には一体型の切刃を有するステープルデバイスを用いて、切除される。
【０００５】
多くの場合においては有効であるが、従来の肺縮小手術は、胸腔鏡手順が使用された場合でさえ、患者にとって非常に外傷性である。このような手順はしばしば、健康な肺組織の意図せぬ除去を生じ、そして肺に穿孔または他の切れ目を頻繁に残し、これは、残っている肺からの空気の漏出を生じる。技術的に成功した手順でさえ、呼吸不全、肺炎、および死を引き起こし得る。さらに、多くの年配の患者または易感染性の患者は、これらの手順の候補者になれない。これらの理由により、上記の欠点の少なくともいくつかを克服する、肺容量の減少を行うための改良された方法、システム、およびキットを提供することが望ましい。
【０００６】
（２．背景技術の説明）
ＷＯ９９／０１０７６は、熱エネルギーを適用して肺組織中のコラーゲンを収縮させることによって、肺組織の大きさを減少させるためのデバイスおよび方法を記載する。１つの実施形態においては、空気は、その大きさを減少させるために肺の小胞から除去され得る。次いで、小胞への気道は、例えば、加熱によって封鎖され、小胞の大きさを固定する。ＷＯ９８／４９１９１は、肺気道内に配置して肺組織の領域を分離するためのプラグ様デバイスを記載し、ここでは、空気は栓塞の前に組織から除去されない。ＷＯ９８／４８７０６は、呼吸窮迫症候群を処置するための、肺洗浄における界面活性剤の使用を記載する。
【０００７】
肺アクセス、診断、および処置に関する特許および特許出願としては、以下が挙げられる：米国特許第５，７５２，９２１号；同第５，７０７，３５２号；同第５，６８２，８８０号；同第５，６６０，１７５号；同第５，６５３，２３１号；同第５，６４５，５１９号；同第５，６４２，７３０号；同第５，５９８，８４０号；同第５，４９９，６２５号；同第５，４７７，８５１号；同第５，３６１，７５３号；同第５，３３１，９４７号；同第５，３０９，９０３号；同第５，２８５，７７８号；同第５，１４６，９１６号；同第５，１４３，０６２号；同第５，０５６，５２９号；同第４，９７６，７１０号；同第４，９５５，３７５号；同第４，９６１，７３８号；同第４，９５８，９３２号；同第４，９４９，７１６号；同第４，８９６，９４１号；同第４，８６２，８７４号；同第４，８５０，３７１号；同第４，８４６，１５３号；同第４，８１９，６６４号；同第４，７８４，１３３号；同第４，７４２，８１９号；同第４，７１６，８９６号；同第４，５６７，８８２号；同第４，４５３，５４５号；同第４，４６８，２１６号；同第４，３２７，７２１号；同第４，３２７，７２０号；同第４，０４１，９３６号；同第３，９１３，５６８号；同第３，８６６，５９９号；同第３，７７６，２２２号；同第３，６７７，２６２号；同第３，６６９，０９８号；同第３，４９８，２８６号；同第３，３２２，１２６号；ＷＯ９５／３３５０６、およびＷＯ／９２１０９７１。
【０００８】
肺容量減少手術は、多くの刊行物に記載され、これらの刊行物としては、以下が挙げられる：Ｂｅｃｋｅｒら（１９９８）Ａｍ．Ｊ．Ｒｅｓｐｉｒ．Ｃｒｉｔ．Ｃａｒｅ  Ｍｅｄ．１５７：１５９３〜１５９９；Ｃｒｉｎｅｒら（１９９８）Ａｍ．Ｊ．Ｒｅｓｐｉｒ．Ｃｒｉｔ．Ｃａｒｅ  Ｍｅｄ．１５７：１５７８〜１５８５；Ｋｏｔｌｏｆｆら（１９９８）Ｃｈｅｓｔ  １１３：８９０〜８９５；およびＯｊｏら（１９９７）Ｃｈｅｓｔ  １１２：１４９４〜１５００。
【０００９】
肺閉塞物を洗浄するための粘液溶解剤の使用は、Ｓｃｌａｆａｎｉ（１９９９）ＡＡＲＣ  Ｔｉｍｅｓ、１月、６９〜９７に記載される。難治の無気肺を患っている肺区域を再膨張させるための、バルーンの折り返しをつけた（ｂａｌｌｏｏｎ−ｃｕｆｆｅｄ）気管支ファイバースコープは、Ｈａｒａｄａら（１９８３）Ｃｈｅｓｔ  ８４：７２５−７２８に記載される。
【００１０】
（発明の要旨）
本発明は、慢性閉塞性肺疾患または肺区域の分離もしくは肺容量の減少が所望される他の状態を患っている患者において、肺容量の減少を行うための改良された方法、システム、およびキットを提供する。この方法は、口を通って（気管内）、および／またはいくつかの場合においては胸を通って（例えば、胸腔鏡的に）導入される器具を用いて、最小侵襲的であり、そして標的肺組織区域を肺の他の領域から分離することに依存する。分離は、通常、分離／アクセスカテーテルを、肺の気道に気管内に導入することによって達成される。分離／アクセスカテーテルの遠位端を、標的肺組織区域に対して開いている気道内に位置づけることによって、この区域は気道を閉塞させることによって、代表的には、カテーテル上の閉塞バルーンまたは気道内で他の構造を膨張させることによって、分離され得る。次いで、標的肺組織区域は、空気（および導入され得た任意の他のガスまたは液体）を、代表的には分離／アクセスカテーテルの管腔を通って、この区域から吸引することによって、圧潰される。この吸引「圧力」は、所望の範囲内になるように選択されるべきであり、従って高すぎるべきでも低すぎるべきでもない。好ましい吸引圧力は、−２ｍｍＨｇ〜−４０ｍｍＨｇの範囲内、より好ましくは−５ｍｍＨｇと−２０ｍｍＨｇとの間である。
【００１１】
次いで、必要に応じて、永久に気道が封鎖され得るか、または後に封鎖をはがし、そして気道を拡げるオプションを用いるかのいずれかである。従って、この封鎖は、一時的または可逆的であり得る。封鎖は、プラグを気道内に配置させることによって達成され得る。適切なプラグとしては、種々の機械的および生物学的デバイスおよび材料が挙げられる。例えば、種々の機械的なプラグが、例えば、拡張可能なフレーム要素および空気不透過性のカバーから形成され得る。拡張可能なフレーム要素は、バルーンにより拡張可能（ｂａｌｌｏｎ  ｅｘｐａｎｄａｂｌｅ）であり得るかまたは自己拡張可能であり得る。バルーンにより拡張可能なプラグは、代表的には、バルーン送達カテーテルによって送達されるが、自己拡張可能なプラグは、半径方向に束縛された状態で送達され、そしてこのような束縛の解放によって展開する。他の適切な機械的なプラグとしては、逆止め弁が挙げられ、これは、分離された肺区域から外向きにガスを流すが、ガスの内向きの流れを妨げるかまたは阻害する。例示的な生物学的プラグ材料としては、膨潤可能なコラーゲン材料が挙げられ、これは気道内で水和および膨張し、その結果この気道を完全に塞ぐ。他の封鎖方法としては、組織接着剤（例えば、フィブリン接着剤、シアノアクリレートなど）の使用；閉塞性バルーンの使用；自己拡張性のメッシュ、コイルおよび他の閉塞性構造の使用；エネルギー誘導組織融合（例えば、高周波組織閉合）の使用；などが挙げられる。機械的なプラグおよび生物学的なプラグの両方は、流動可能な、治癒可能なシーラント、接着剤、または「接着剤（ｇｌｕｅ）」の送達と組み合わせて、以下に詳細に記載されるような二成分システムにおける封鎖をさらに増強させ得る。
【００１２】
本発明の方法の第１の特定の局面においては、標的肺組織区域を通る気流および標的肺組織区域からの気流は、この区域の吸引の前に増強される。可能な限り完全に肺組織区域を吸引し、かつ肺組織区域の容量を減少させることは、本発明の目的である。１つの場合において、標的肺組織区域内のガス流に対する閉塞物は、この区域の吸引の前または吸引の間に減少される。標的肺組織区域（これは、疾患しており、しばしば妨害物に供される）内の粘液および他の閉塞物は、除去され、破壊され、または他に検討されない限り、この区域の実質的に完全な吸引を妨げる。第２の場合においては、肺界面活性物質の欠如が妨げられた気流の原因であり、本発明は、標的肺組織区域の吸引の前または吸引の間に、適切な界面活性物質の投与を提供する。
【００１３】
第１の特定の場合においては、本発明は、肺組織区域を通常の呼吸器膨張圧力よりも高い圧力まで膨張させることによって、ガス流の閉塞物を減少させる。必要に応じて、標的肺区域に隣接する肺の部分または区域は、標的区域が通常の圧力よりも高い圧力で膨張されるのと同時に、部分的に収縮されるかまたは通気下にあり得る。例えば、隣接する肺区域への気流は、これらの区域における低い圧力に対して部分的にブロックされ得、これらの区域の部分的な圧潰を生じる。特定の場合においては、標的肺組織区域を有する肺の気管支を部分的にブロックするために、バルーンが使用され得る。
【００１４】
分離された肺組織区域は、通常、全身麻酔の投与の間に、通常、６０ｃｍＨ2Ｏ〜２００ｃｍＨ2Ｏの範囲、好ましくは、１００ｃｍＨ2Ｏ〜１５０ｃｍＨ2Ｏの範囲の圧力まで、過剰膨張される（陽圧通気）。局所麻酔が使用されている場合、圧力は、通常、１０ｃｍＨ2Ｏ〜１００ｃｍＨ2Ｏの範囲、好ましくは、３０ｃｍＨ2Ｏ〜６０ｃｍＨ2Ｏの範囲である。このような「過剰膨張」の持続期間は、代表的には、１秒〜６００秒の範囲、好ましくは、５秒〜６０秒の範囲である。このような肺膨張は、１回よりも多く繰り返され得る。例えば、肺膨張は、分離された肺組織区域をパルス様式で膨張させることによって行われ得る。過剰膨張は通常、分離／アクセスカテーテルを用いて実施され、このカテーテルは肺組織区域を分離するために使用された。必要に応じて、肺の領域を、胸を介して導入された針を用いて、代表的には胸腔鏡観察下で、経皮的に膨張することが可能である。
【００１５】
第２の特定の場合においては、標的肺組織区域内のガス流閉塞物は、閉塞物を一掃し、そして／または気道を拡大して、任意の妨害物の周りのガス流を可能にする薬剤を導入することによって、減少され得る。例示的な薬剤としては、粘液溶解剤、気管支拡張剤、界面活性剤、乾燥剤、溶媒、過フッ化炭素、壊死剤、吸着剤などが挙げられる。このような薬剤は、カテーテルを通して、代表的には、標的肺組織区域を分離するために使用された分離／アクセスカテーテルを通して導入され得る。必要に応じて、このような薬剤は、代表的には３８℃〜９０℃の範囲の温度まで加熱されて、活性を高められ得る。
【００１６】
第３の特定の場合においては、ガス流閉塞物は、機械的エネルギー、代表的には、閉塞物の少なくともいくつかを破壊する振動エネルギーを、肺区域に送達することによって減少される。代表的には、振動エネルギーは、超音波エネルギーであり、より代表的には、２０ｋＨｚ〜２０ＭＨｚの範囲、通常、２０ｋＨｚ〜５ＭＨｚの範囲の周波数を有する超音波エネルギーである。機械的エネルギーは、通常、分離／アクセスカテーテルを通して標的肺組織区域に導入される非圧縮流体を介して、通常、この区域に送達される。空気は、超音波エネルギーおよび他の振動エネルギーをほとんど伝達せず、かつ吸収する物質であることが理解される。従って、非圧縮性流体（例えば、生理食塩水、造影剤、処置溶液（例えば、粘液溶解溶液、界面活性剤溶液など）など）を導入することによって、標的肺組織区域全体へのエネルギーの伝達および吸収を増強させる。次いで、振動エネルギーは、気管内に導入され、次いで標的肺組織区域に導入されるカテーテルを介するか、または超音波エネルギーを経皮的に送達することを意図する手持ち型もしくは他の超音波プローブを外部から用いるかのいずれかで、適用され得る。代表的には、振動処置は、５秒〜６０分の範囲、通常、３０秒〜３０分の範囲の時間続く。
【００１７】
第４の特定の場合においては、肺の疾患部分の封鎖または他の手順の前のこれらの疾患部分からの空気の除去は、肺のこれらの疾患部分を低分子量のガス（例えば、ヘリウムまたはヘリウムと酸素との組み合わせ）を用いて通気することによって達成され得る。肺の領域を圧潰すための技術は、「吸収無気肺」と呼ばれ、ここで肺の中の酸素は血流中に拡散し得る。肺の標的領域を純粋な酸素または高濃度の酸素で満たすことによって、肺のこの領域は酸素が吸収されるにつれて圧潰される。このような「純粋な」酸素無気肺は、本発明の方法において使用され得る。しかし、純粋な酸素またはほとんど純粋な酸素の使用は、血流から標的肺区域への二酸化炭素の拡散を生じる。従って、肺の完全な圧潰は、達成され得ない。対照的に、本発明は、好ましくは、低分子量のガス（例えば、ヘリウムまたはヘリウムと酸素との組み合わせ）を利用する。本明細書中のいずれかに記載されるように、肺の標的領域における空気は、低分子量のガスで完全に置換され、次いで、この区域は閉じられる。低分子量のガスまたは酸素混合物は、血液中に容易に拡散し、そしてこの区域は血液から肺への最小の二酸化炭素放出とともに圧潰される。特に、純粋な低分子量のガス（例えば、ヘリウム）が使用される場合、肺部分へ戻る二酸化炭素の放出は、もしあるとしても非常に少量である。
【００１８】
特に好ましい局面においては、低分子量のガスまたは酸素混合物は、高周波数パルスで、比較的低い圧力で肺領域に導入される。例示的なパルス速度は、０．２５ｐｓｉ〜２ｐｓｉの範囲の圧力において、１秒当たり１．５パルス〜１秒当たり３パルスの範囲である。このような「高周波数通気」は、肺領域に最初に存在する空気および酸素を置換する際に特に効果的である。必要に応じて、高周波数通気を達成するために使用されるカテーテルは、別々の消耗ポートおよび管腔を備え得、これらは、別々の真空源に接続されて、ガスの適切な除去および低分子量のガスまたは酸素混合物との置換を達成し得る。
【００１９】
第５の特定の場合において、肺の疾患領域からの空気の除去は、過フッ化炭素液体を用いる灌流または注入によって増強され得る。肺の疾患領域からのガスの除去に伴う１つの問題は、そこにある肺通路が、粘液および他の分泌物でブロックされ得ることである。肺を過フッ化炭素液体を用いて通気することによって、このような分泌物を除去し得、それらを肺における液体の頂部またはメニスカスまで上昇させる。好ましくは、肺全体が過フッ化炭素液体で処置され得、ここで患者は機械的に通気されている。あるいは、このような処置は、本明細書中のいずれかに記載される肺切除技術の直前に、肺の疾患領域に特異的に向けられ得る。この技術は、肺の部分が、代表的には、本明細書中のいずれかに記載されるような膨張可能なカフを有する分離カテーテルを用いて、分離されている間に行われ得る。過フッ化炭素液体は、カテーテルを通して導入され得、一方、患者は、肺の部分が満たされた場合に、液体のメニスカスが好ましくはカテーテルの近くにあるように位置づけられる。次いで、過フッ化炭素液体は、粘液および他の分泌物が取り除かれ、メニスカスまで浮上した後に取り除かれ得る。次いで、肺は、本発明の他の局面に従う処置のために、吸引および圧潰され得る。
【００２０】
本発明の方法の第２の局面においては、標的の分離された肺組織区域の圧潰は、分離された区域に外部圧を適用することによって増強される。外部圧は、通常、胸を介して（例えば、胸腔鏡的に）適用される。最も単純には、安全針が、肺を覆う胸膜腔に、代表的には、肋骨下（隣接する肋骨の間）に導入され得る。次いで、胸膜腔は、肺への圧力を増加させ、標的区域の圧潰を増強させるために、ガス注入（例えば、二酸化炭素または胸膜腔に導入される他のガス膨張媒体）され得る。同時に、標的区域は吸引され、その結果、内部圧力の低下および外部圧力の上昇の組み合わせが、実質的に完全にこの区域を圧潰させるように作用する。あるいは、外部圧力は、標的肺組織区域を覆う胸膜腔内でバルーンを膨張させることによって適用され得る。なおさらに必要に応じて、外部圧力は、標的区域の上にある肺の外部表面の少なくとも一部に係合され、かつこの部分に対して押されるプローブによって適用され得る。必要に応じて、胸腔鏡的にまたは他の経皮的に配置される針を使用して、代表的には、本明細書中のいずれかに記載されるようなカテーテルに基づく吸引と組み合わせて、肺の一部を穿刺および吸引し得る。例えば、内部カテーテルを用いて圧潰され得ない肺の部分は、胸腔鏡可視化によって外部針を用いて標的化され得る。次いで、肺に残った任意の穿刺孔は、適切な接着剤（例えば、フィブリン接着剤）で封鎖され得る。
【００２１】
本発明の第３の局面においては、肺組織区域を分離し、分離された区域を吸引することによって肺容量を減少させるための方法は、例えば、アクセスおよび分離されている区域が実際に疾患しているか否か、および圧潰されるべきであるか否かを決定することを可能にする診断方法と組み合わされる。この診断方法および工程は、広範な種々の形態をとり得る。例えば、分離／アクセスカテーテルまたは他の気管内に導入されるカテーテルを使用して、その区域の気流の能力が損なわれているか否かを決定するために、肺組織区域への気流および肺組織区域からの気流を測定し得る。あるいは、またはさらに、この分離／アクセスカテーテルを使用して、標的肺組織区域内の二酸化炭素濃度を測定し得る。測定され得る他のパラメータとしては、強制呼気容量、圧力、圧力／容量（Ｐ／Ｖ）曲線、区域コンプライアンス曲線、呼吸データの研究、灌流スキャン、気管支造影図などが挙げられる。
【００２２】
本発明の方法のなおさらなる局面においては、標的肺組織区域は、分離および吸引され、ここでこの区域は、その吸引前の膨張した大きさの４０％以下、通常３０％以下、そして好ましくは、２０％以下の容量まで圧潰される。膨張した大きさは、最大吸気圧力でのその最大の大きさであり、この最大吸気圧力は、陽圧通気を受けている患者については、４０ｃｍＨ2Ｏであると想定され、自発的な呼吸の圧力は９０ｃｍＨ2Ｏであると想定される。容量の変化は、従来の技術（例えば、胸腔鏡検査（Ｘ線）、ＣＴスキャン、ＭＲＩ、超音波映像、気管支造影、ＰＦＴ（肺機能試験）、ガス希釈技術（ｇａｓ  ｄｉｌｕｔｉｏｎ  ｔｅｃｈｎｉｑｕｅ）など）によって決定され得る。
【００２３】
標的肺組織区域のこのような効率的な圧潰は、上記で考察される任意の方法において達成され得る。さらに、これは、吸引の前に吸収無気肺を誘導することによって達成され得る。最も単純には、吸収無気肺は、分離した肺組織区域に高濃度酸素を注入し、その後吸引することによって誘導され得る。注入ガス中の酸素濃度は、少なくとも５０体積％であるべきであり、好ましくは７５体積％、そしてより好ましくは実質的に純粋な酸素である。あるいは、肺の圧潰は、上記で一般的に記載されるように、肺に低分子量のガスまたは酸素と低分子量のガスの組み合わせを注入するか、または肺をこれらで洗浄することによって促進され得る。
【００２４】
本発明はさらに、本発明の方法に従って管腔内（ｉｎｔｒａｌｕｍｉｎａｌ）肺容量減少手順を行うためのシステムを提供する。このシステムは、少なくとも１つの分離カテーテルまたはアクセスカテーテルを備え、このカテーテルは、近位端、遠位端、遠位端付近の閉塞要素、およびそこを通じる少なくとも１本の管腔を有する。分離／アクセスカテーテルは、代表的には、肺の気道への気管内導入によって、標的肺組織区域のアクセスおよび分離を確立するために使用される。本発明に従う第一のシステムにおいては、この分離／アクセスカテーテルは、閉合要素を保有するシーリングカテーテルと組み合わされる。シーリングカテーテルは、分離／アクセスカテーテルの管腔を通って導入されるように適応され、そして閉合要素は、標的組織区域に通じる気道内で分離／アクセスカテーテルから展開されるように適応される。この閉合要素は、代表的には膨潤可能なプラグ（例えば、部分的に水和されたコラーゲンのプラグ）を備える。従って、気道内での展開は、インサイチュでプラグが膨潤し、そして標的組織区域に通じる気道を完全にブロックすることを可能にし、その結果、一旦その区域が圧潰されると、空気はその区域を再膨張させるために侵入しない。驚くべきことに、このような閉塞は、実質的に肺の再膨張を阻害し、そして圧潰された領域への有意な付随的な空気流入は、ほとんど存在しないことが見出された。
【００２５】
本発明に従う第２のシステムにおいては、分離／アクセスカテーテルは、標的組織区域の実質的に完全な吸引を容易にするために、気道を洗浄するか、拡大するか、または拡げるかのいずれかが可能な試薬と組み合わされる。例示的な試薬は、上記に記載されている。
【００２６】
第３のシステムにおいては、分離／アクセスカテーテルは、肺の周りに外部圧力を適用するための経皮的な導入を意図されたプローブと組み合わされる。このプローブは、針、バルーン、または肺を内向きに押すことを意図された単純な係合要素の形態であり得る。
【００２７】
本発明はなおさらに、上記のような少なくとも１つの分離／アクセスカテーテルを備えるキットを包含する。このキットはさらに、上記の任意の方法に従う使用のための説明書を含む。例えば、この使用説明書は、分離された肺組織区域が、そこにある妨害物を減少させるために過剰膨張されることを記載し得る。あるいは、この使用説明書は、特定の薬剤（上記のような）が、吸引の前に閉塞性物質を破壊するために、この区域に導入されることを記載し得る。なおさらに、このキット説明書は、標的組織区域の吸引の前または吸引と同時に、この区域に圧力または他の外部からの力を適用することによって、肺が外部から圧潰されることを記載し得る。なおさらに、この説明書は、標的肺組織区域の容量が、少なくとも上記のパーセンテージで減少されることを記載し得る。すべての場合において、このキットは、通常、このキット構成要素を使用説明書と一緒に保持するための包装（例えば、ポーチ、トレイ、チューブ、箱など）をさらに備える。この使用説明書は、別のシート（通常、添付文書という）に印刷され得、および／または包装自体に印刷され得る。通常、患者に導入されるキット構成要素は、滅菌され、かつキット内に滅菌様式で包装される。
【００２８】
（特定の実施形態の説明）
肺容量の減少は、通常、単一の気道を通して空気を収容する肺の葉下（ｓｕｂ−ｌｏｂｕｌａｒ）領域内の標的肺組織区域（すなわち、空気を肺の肺胞領域から送達しそして収容する分岐した気管支の区域）を圧潰することによって行われる。このような分離された肺組織区域は、最初に分離され、次いで、標的肺組織区域から空気（あるいは以下に議論されるような、導入されていたかもしれない他のガスまたは液体）を吸引することによって圧潰される。肺組織は、非常に高い割合の空隙容量を有し、従って内部ガスの除去は、この肺組織が十分に膨張された（すなわち、正常な吸息圧力で膨張された）場合に有する空隙容量の小さな割合にまでこの肺組織を縮小し得る。この容量減少の代表的な好ましい割合は、上に記載される。
【００２９】
詳細には、本発明は、標的肺組織区域の吸引および圧潰を増強するための方法および装置を提供する。このような方法および装置は、以下の改良点の１つ以上を含み得る。第１に、標的組織領域内のガス流に対する障害物を除去または減少するために、様々なアプローチが行われ得る。第２に、これらの方法および装置は、肺に外力を付与して、内部吸引により達成される圧潰を促進するために用いられ得る。第３に、標的組織区域内のガスの吸引は、吸引前に吸収無気肺を誘導することによって増強され得る。吸収無気肺は、例えば、酸素リッチなガス（通常、少なくとも５０容量％の酸素、より通常は、少なくとも７５容量％の酸素、好ましくは実質的に純粋な酸素）を、肺組織区域に導入することによって誘導され得る。吸収無気肺は酸素の多い混合物が吸気された場合に生じる現象である。高い酸素濃度は酸素分圧の上昇を引き起こし、これにより、肺胞領域内の毛細血管血液への酸素運搬の速度が非常に上昇する。この増加した酸素フラックスは、血液へのガスの正味の流量がガスの吸気流量を超えるほどに非常に増加し得、肺単位は次第に小さくなり得る。第４に、このアクセス方法および装置は、インサイチュの診断を実施するために、通常圧潰手順の一部として使用され得る。多数の肺機能の特性のいずれか１つが、典型的に、分離／アクセスカテーテルを使用するサンプリングによって測定され得る。
【００３０】
本発明の方法は一般に、肺の気管支に気管内導入されるように適合された分離／アクセスカテーテルを使用して標的肺組織区域にアクセスする工程に依存する。例示的な分離／アクセスカテーテル１０は図１および２に例示され、そしてこれは、遠位端１４、近位端１６、その遠位端付近の膨張可能閉塞バルーン１８、およびそのカテーテル通る少なくとも１つの管腔を有する、カテーテル本体１２を備える。通常、このカテーテルは、少なくとも２つの管腔を有し、そしてカテーテル１０は、内側本体部材２４およびその内側本体部材の周りに同軸上に配置される外側本体部材２６により規定される、中心管腔２０および環状管腔２２の両方を備える。この環状管腔２２は、近位ハブ３２上のポート３０に向かって開き、そしてバルーン１８の膨張を提供する。中心管腔２０はハブ３２上のポート３６に向かって開き、そして複数の機能（任意のガイドワイヤ上への導入、吸引、第２のカテーテル（例えば、下記の封鎖カテーテル）の導入などを含む）を提供する。
【００３１】
分離／アクセスカテーテル１０の寸法および材料は、気管内導入、および肺気管支を通る管腔内前進を（必要に応じてガイドワイヤの上でおよび／または一次気管チューブ構造を通して）可能にするように選択される（以下の図４Ｂで示される）。特に内側管状部材２４に適切な材料には、低密度または高密度のポリエチレン、ポリアミド、ナイロン、ＰＴＦＥ、ＰＥＥＫなどが挙げられる。閉塞バルーンを備える外側部材は、可撓性材料（例えば、ポリウレタン、低密度ポリエチレン、ポリ塩化ビニル、シリコーンゴム、ラテックスなど）から作製され得る。必要に応じて、膨張可能バルーンに対して近位の外側管状部材２６の部分は、この部分がバルーンの加圧の際に拡張しないようにより厚くされそして／または強化され得る。分離／アクセスカテーテル１０の代表的な寸法は、以下の表に記載される。
【００３２】
【表１】
0004185283.tif 000002
この分離／アクセスカテーテル１０は、多数の方法（そのいくつかは図３Ａ〜３Ｆに例示される）で改変され得る。例えば、内側および外側同軸チューブ構造の代わりに、このカテーテルは、図３Ａに例示されるように、環状主管腔３２および三日月型膨張管腔３４を備えるカテーテル本体３０を有する単一の押出し成形体（ｅｘｔｒｕｓｉｏｎ）であり得る。あるいは、カテーテル本体４０は、３個の管腔（すなわち、ガイドワイヤを収容し、吸引を適用し、そして／または第２のカテーテルを送達するための第１の管腔４２、閉塞バルーンを膨張するために設けられ得る第２の管腔４４、および代替のガイドワイヤまたは吸引管腔として設けられ得る第３の管腔４６）を有する単一の押出し成形体として形成され得る。カテーテル本体５０は、図３Ｃに示されるように、そのカテーテル本体上に融着されてバルーンの膨張に適切な管腔５６を規定する外層５４を有する主管状本体５２を備える。第１の管腔５８は、この主管状部材５２内に形成される。わずかな代替として、カテーテル本体６０は、第２の管状部材６２および第２の管状部材６４から形成され得、ここでこれらの管状部材は、外側部材６６（例えば、熱収縮により適用される層）により一緒に保持される。この第２の管状部材６２は主管腔６８を提供し、一方、第２のチューブ６４は第２の管腔７０を提供する。この第２の管腔７０は、典型的にバルーンの膨張のために使用され、一方、第１の管腔６８は分離／アクセスカテーテルの全ての他の機能のために使用され得る。
【００３３】
必要に応じて、本発明における分離／アクセスカテーテルは、光学画像化性能を備えられ得る。図３Ｅに示されるように、カテーテル本体８０は、典型的には、従来の押出しプロセスによって、４個の管腔を備えるように形成され得る。管腔８２は、ガイドワイヤを通過するために適切である。管腔８４および８６の両方は、照射のための光ファイバ８８を備える。管腔９０は、光学導波管またはイメージファイバ９２を有する。管腔８２は、典型的には、ガイドワイヤが引き出された後に、洗浄および吸引のために使用され得る。バルーンの膨張は、残りの空間、ならびに光ファイバ８８を囲んでいる管腔８４および８６を通して行われ得る。第２のカテーテル本体１００は、同軸配置の多数の別々のチューブとして形成される。外側チューブ１０２は、ガイドワイヤへの導入、ならびにこのガイドワイヤが取り出された後の灌流および吸引を可能にする管腔１０６を規定する別個のガイドワイヤチューブ１０４を備える。第２の内側管状部材１１０は、光学イメージファイバ１１２を有し、そして複数の光ファイバ１１２は、外側管状部材内の残りの空間１１４内を通過する。カテーテル構造８０および１００の両方において、光ファイバにより照射し、そしてカテーテルの遠位端のレンズを通して画像を検出することによって、前方画像化が達成され得る。この画像は、従来の陰極線または他のタイプの画像スクリーンに表示され得る。詳細には、以下に記載されるように、前方画像化により、使用者は、カテーテルを分岐した気管支を通る所望の経路を通して前進させるために、ガイドワイヤを選択的に配置し得る。
【００３４】
ここで図４Ａを参照すると、カテーテル１０は、患者の気管Ｔを通して、肺Ｌ内の患部領域ＤＲまで進められ得る。気管Ｔを通る前進は、比較的単純であり、そして分岐した気管支を通る前進経路を選択するためにガイドワイヤを必要に応じて用いる。上記のように、ステアリングは、図３Ｅおよび３Ｆに示される画像化分離／アクセスカテーテルを使用して、リアルタイムで画像化しながら行われる。必要に応じて、分離／アクセスカテーテル１０は、可視化気管チューブ（例えば、米国特許第５，２８５，７７８号に記載されるチューブ、本出願の譲渡人にライセンス提供された）を通して導入され得る。可視化気管内チューブ１２０は、左気管支ＬＢおよび右気管支ＲＢの分岐点のすぐ上の気管内で膨張される、閉鎖カフ１２２を備える。可視化気管内チューブ１２０は、前方観察光学システム（これは典型的に、左気管支ＬＢと右気管支ＲＢとの間の主分岐点の直接観察を可能にする照射ファイバおよびイメージファイバの両方を備える）を備える。従って、分離／アクセスカテーテルの最初の配置は、可視化気管内チューブ１２０および必要に応じて分離／アクセスカテーテル１０自体を観察しながら行われ得る。特に４Ａを再び参照して、分離／アクセスカテーテル１０は、その遠位端１４が、直接患部領域ＤＲまで至る気管支内の領域に達するまで前進される。一旦配置されると、バルーン１８は膨張され得、そして患部領域を含む肺組織区域が残りの肺から分離される。分離されるとは、空気または他のガスがその分離された領域と肺の残りの領域との間を任意の有意な程度まで通過しないことを意味する。
【００３５】
図４Ｃに示されるように、組織を圧潰するために、分離／アクセスカテーテル１０内の管腔に真空を付与して、分離した肺組織区域内の内部領域を吸引することが本発明の目的である。これにより、図４Ｃの斜線領域で示されるような圧潰された肺組織領域ＣＬＴが生じる。
【００３６】
本発明によると、その分離した肺組織領域からのガスの除去を増強するために、この領域を吸引する前に様々な工程およびプロトコルが行われ得る。この領域は、過剰に膨張されるか、振動に供されるか、拡張剤または粘液溶解剤に供されるか、またはそうでなければこの領域内のガス流の障害物を除去するために処理される。これらの方法の各々は上で記載され、一般的に、分離／アクセスカテーテル１０の管腔を使用する手順の少なくとも１つの局面の性能に依存している。例えば、過剰膨張は、単に分離／アクセスカテーテルを通して所望の圧力まで膨張ガスを導入することによって達成され得る。圧力は、カテーテル１０の遠位先端部において変換器を使用して測定され得るが、通常は、カテーテルの近位の位置で静的に測定される。あるいはまたはさらに、吸収無気肺を誘導するために、酸素リッチなガスが分離／アクセスカテーテルを通して導入され得る。振動刺激のために、非圧縮性流体が、分離／アクセスカテーテルを通して導入され得る。刺激は、分離／アクセスカテーテルのアクセス管腔を通して導入される、外部プローブおよび／または振動カテーテルを使用して与えられ得る。
【００３７】
図４Ｄに示されるように、いくつかの例において、標的肺組織区域の吸引を増強するために、その標的区域に隣接する肺組織の膨張を減少するかまたは選択的に制御することが所望される。例えば、２分の１の肺全体が、その遠位端付近にバルーン１３２を有する分離または分路カテーテルによって選択的に制御され得る。このバルーンは、選択された気管支の一部分（典型的には、その領域の約６０％）を閉塞するように膨張される。従って、肺内の圧力は減少され、そして肺は分離された領域以外で部分的に圧潰され得る。このようにして、標的肺組織区域の膨張は増強され得、このことはこの区域の後の吸引を妨げる他の肺内の閉塞物を破壊する際に役立ち得る。
【００３８】
肺の吸引および圧潰を増強するためのこのようなインサイチュの技術に加えて、本発明は、圧潰を助ける外力の付与に依存する。図５に示されるように、針または他のカニューレ２００は、壁側胸膜ＰＰと肺胸膜ＶＰとの間の腹膜空間ＰＳに経皮導入され得る。二酸化炭素のような注入ガスが、シリンジまたは他の圧力源のいずれかを使用して、針２００を通して導入され得る。このガスは、典型的に、自発的に呼吸している患者において、３０ｃｍＨ2Ｏ〜２００ｃｍＨ2Ｏの範囲の圧力まで、陽圧の通気を受けている患者において、７０ｃｍＨ2Ｏ〜２５０ｃｍＨ2Ｏの範囲の圧力まで導入される。
【００３９】
しかし、拘束されない注入ガスは特定の標的位置に配向されないため、このガスの使用は不利である。外部圧力を肺に対してより特異的に配向するために、バルーン２１０は、典型的には胸部トロカール２１２を通して胸膜腔に導入され得る。このバルーンは、透視検査に基づいて配置され得る。圧潰されるべき特定の領域に依存して、図７Ａ〜７Ｄに例示されるように、様々な特定のバルーン構造が用いられ得る。シャフト２２０に取り付けられたほぼ球形のバルーン２２０が、図７Ａに示される。他の構造には、翼型プロフィール（図７Ｂ）、円柱型またはスパチュラ型プロフィール（図７Ｃ）、および凸型プロフィール（図７Ｄ）が挙げられる。これらの各々は、胸膜腔への導入の後の膨張を可能にするシャフトに取り付けられる。
【００４０】
針注入およびバルーン膨張に対するさらなる代替として、標的肺組織区域は、図８に示されるように、通常、胸部トロカール２５２を通して導入される単純なプローブ２５０を使用して外部から圧潰され得る。肺の外面を機械的に係合および圧縮するための様々なプローブが、図９Ａ〜９Ｃに例示される。必要に応じて、標的組織肺区域内の所望の点を穿刺し、空気を放出および／または吸引するために、通常、第１のカテーテルベースの吸引の補助物として、針が使用され得る。この穿刺部は次いで、フィブリン接着剤または他の適切なシーラントで封鎖され得る。
【００４１】
本発明の方法は、必要に応じて、圧潰された組織領域ＣＬＴに至る気道を封鎖または閉塞する工程を包含する。このような封鎖は、縫合、接着、エネルギー媒介性組織接着などを含む様々は方法で行われ得る。本発明の好ましい局面において、封鎖カテーテル２８０が、図１０Ａ〜１０Ｃに例示されるように、プラグ２８２（典型的には部分的に水和されたコラーゲンヒドロゲル）を送達するために使用され得る。通常、このカテーテルは、分離／アクセスカテーテル１０の主アクセス管腔を通して導入され得る寸法を有する。プラグ２８２は、カテーテル内の管腔の遠位先端部内に収容され、そしてプッシュロッド２８４はそのカテーテルの長さに伸びることにより、処置中の医師は、図１１に例示されるように、そのカテーテルの先端部が適切に配置された後にプラグ２８２を展開し得、通常この間、分離／アクセスカテーテル上のバルーンは膨張したままであり、標的肺組織は封鎖されそして吸引し圧潰された形状のままである。一旦、肺気管支の湿環境内に展開されると、プラグ２８２は水を吸収し、そして圧潰された肺組織領域ＣＬＴへの気道を十分に閉塞し塞ぐために、実質的に（典型的には１００％〜１０００％）膨潤する。
【００４２】
肺内の分離／アクセスカテーテル１０の位置決めは、上記のように、オンボード光学画像化能力を使用して行われ得る。通常、分岐した気管支を通るガイドワイヤの位置決めは、分離／アクセスカテーテルの画像化要素を通して観察しながら操作される。このように、分離／アクセスカテーテルは、ガイドワイヤと分離／アクセスカテーテルを交互に前進させることによって少しずつ「寸動」され得る。分離／アクセスカテーテルに画像化を備えることの代替として、位置決めは単に蛍光透視法により行われ得る。さらなる代替として、操縦可能な画像化ガイドワイヤ３００（図１２Ａ〜１２Ｃ）が使用され得る。ガイドワイヤ３００は、プッシュ／プルリボン３０４を使用して単一の平面で変形され得る変形可能な先端部３０２を備える。通常、この先端部は、変形を容易にするためのスプリング３０６を備える。操縦性に加えて、ガイドワイヤ３００は、図１２Ｃの断面図に最も良く示されるように、光学画像化導波管３１０および照射光ファイバ３１２を備える。従って、ガイドワイヤ３００は、分岐した気管支を通して操縦されて、それ自体のインサイチュ画像化能力を使用して標的組織区域に到達し得る。一旦、ガイドワイヤ３００が適所に配置されると、分離／アクセスカテーテルもまた標的肺組織区域に導入され得る。ガイドワイヤは画像化能力を有するため、分離／アクセスカテーテルはこのような画像化能力を組み込む必要はない。このことは有利であり得る。なぜならカテーテルがいずれの光学導波管も必要としないため、アクセス管腔がより長くなり得るからである。
【００４３】
上記の方法およびデバイスに加えて、本発明の肺封鎖プロトコルは、一般に膨張可能なプラグまたはバリア、およびこの拡張可能なプラグまたはバリアに導入される接着剤を備える様々な二成分系で行われる。多くの例において、上記のような単一の拡張可能なプラグまたはバリアで十分であり得るが、他の例において、このようなプラグ／バリアを、プラグの外周の周りの封鎖、ならびにプラグ自体の表面にわたる増強された封鎖を促進し得る接着剤、シーラント、グルー（ｇｌｕｅ）、または他の同様の材料と組み合わせることが所望され得る。
【００４４】
ここで図１４Ａ〜１４Ｃを参照すると、外側シース５０２および内側チューブ５０４を備えるカテーテルシステム５００が、拡張可能バリア５０６を送達するために使用される。図１４Ａに示されるように、このバリア５０６は、内側チューブ５０４の遠位端上、かつ外側シース５０２の管腔５０８内に最初に設けられる。バリア５０６は様々な形態を有し得るが、一般に、弾性金属、必要に応じて形状記憶合金から形成され、このバリアは、図１４Ｂに示されるように、カテーテルアセンブリ５００から放出されて肺通路ＬＰを横切って拡張するように構成される。このバリアは、メッシュ、グリッド、膜または他の特定の構造体の形態であり得、そして肺通路ＬＰの壁に対して係合するように構成される周縁部５１０を有する。必要に応じて、バリア５０６は、空気の通過を阻害するためにその表面にわたって取り付けられた不浸透性繊維または他の層を有し、そして／またはシーラントを含む。
【００４５】
バリア５０６は様々な様式で送達され得るが、外側シース５０２を内側チューブ５０４上から引っ込めることにより送達され、その結果このバリア５０６は、シース５０２が回収された後に半径方向外向きに拡張することが示される。特定の実施形態において、拡張可能バリア５０６は肺通路ＬＰを閉塞する、すなわちそこを通過するガスの流れを阻止するのに十分であり得るが、図１４Ｃに示されるように、接着材料５２０を送達することによって閉塞を増強することが一般に好ましい。都合よくは、接着剤５２０は、内側チューブ５０４の管腔を通して導入され得る液体または他の流動性材料である。適切な材料には、好ましくは、放射線不透過性トレーサー（例えば、硝酸銀、硫酸バリウムまたは任意の他の追跡可能な生体適合性材料）と混合された、アルブミン、コラーゲンまたはフィブリンベースの合成もしくは非合成接着剤が挙げられる。接着剤は一般に硬化性であり、その結果、この接着剤は、バリア５２０に隣接する固体の塊を形成し、これは、特に壁に対して周囲部分５１０を封鎖する。
【００４６】
ここで図１５Ａ〜１５Ｃを参照すると、カテーテルシステム６００は、その遠位端にバルーン−拡張可能バリア６０４を有するカテーテル本体６０２を備える。カテーテル６０２の遠位端にあるバルーン６０８は、図１５Ｂに示されるように、バリア６０４を拡張するために最良に使用され得る。バリア６０４は、様々な可鍛性材料（例えば、ステンレス鋼）から構成され得、典型的に、メッシュ、ブレード、または他の同様の構造体の形態である。必要に応じて、バリア６０４は、不浸透性を増強するためにそれらに積層された繊維バリアまたは膜バリアを備え得る。接着剤６１０は、典型的に、図１５Ｃに示されるように、バルーンカテーテル６０２または必要に応じて別個の接着剤送達カテーテル６１２のいずれかを通して導入される。
【００４７】
ここで図１６Ａ〜１６Ｅを参照すると、本発明に従って二成分封鎖系を送達するための第３のアプローチが記載される。システム７００は、その遠位端に光ファイバ可視化要素７０４を有するカテーテル７０２を備える。このカテーテル７０２は、閉塞される領域において、肺通路ＬＰ内に最初に配置される。次いで、図１６Ｂに示されるように、膨潤可能なコラーゲンまたは他のプラグがカテーテル７０２から放出される。好ましくは、プラグ７０６は、プラグ７０６に取り付けられたままであるワイヤ７０８を位置決めすることによって前進され、プラグ７０６が伸長している間に、そのプラグ７０６の位置決めを可能にする。図１６Ｃに示されるように、プラグ７０６が十分に拡張されそして適切に位置決めされた後、ワイヤ７０８が回収され得る。全ての上記の工程は、必要に応じて光ファイバー可視化要素７０４を使用して観察しながら達成されることが理解される。次いで、図１６Ｄに示されるように、別個の接着剤送達チューブ７１０がカテーテル７０２を通して導入され得る。次いで、再度、好ましくは、光学観察要素７０４により観察されながら、接着剤７１２がこのチューブ７１０を通して送達され得る。接着剤７１２が導入された後、図１６Ｆに示されるように、膨潤可能プラグ７０２および接着物質７１２を備えるバリアを適所に残して、カテーテル７０２および全ての関連する要素が回収され得る。
【００４８】
ここで図１３を参照すると、本発明に従うキット４００は、少なくとも１つの分離／アクセスカテーテル１０、およびＩＦＵを使用するための使用説明書を備える。必要に応じて、このキットは上記の他のシステム要素（例えば、バルーンプローブ２１０、封鎖カテーテル２８０、薬剤容器４２０（必要に応じて上記の拡張剤または粘液溶解剤のいずれかを含む）、または他の要素）のいずれかをさらに備え得る。ＩＦＵを使用するための使用説明書は、上記のいずれかの方法を記載し、そして全てのキット要素は通常、ポーチ４５０または他の従来の医用デバイスパッケージングに一緒にパッケージングされる。通常、患者に対してこの手順を行う際に使用されるこれらのキット要素（例えば、分離／アクセスカテーテル１０）は、滅菌され、キット内に滅菌維持される。必要に応じて、別個のポーチ、バッグ、トレイまたは他のパッケージングがより大きなパッケージ内に備えられ得、ここでより小さなパックが別々に開けられ得、そしてこれらの要素を滅菌様式で別々に維持し得る。
【００４９】
上記は本発明の好ましい実施形態の完全な説明であるが、様々な代替物、改変物および等価物が使用され得る。従って上記記載は、添付の特許請求の範囲により規定される本発明の範囲を制限するものと理解されるべきではない。
【図面の簡単な説明】
【図１】  図１は、本発明の方法、システムおよびキットにおいて有用な、分離／アクセスカテーテルの斜視図である。
【図２】  図２は、図１のライン２に沿って取られた断面図である。
【図３】  図３Ａ〜３Ｆは、図１の分離／アクセスカテーテルの代替の断面図を例示する。
【図４】  図４Ａ〜４Ｃは、本発明の方法に従って標的肺組織区域を分離および圧潰するための、図１の分離／アクセスカテーテルの使用を例示する。
図４Ｄは、本発明に従う吸引の前に、標的肺組織区域を過剰膨張するための１つのプロトコルを例示する。
【図５】  図５は、本発明の任意の局面を例示し、ここで、注入ガスは胸膜腔からの標的区域の圧潰を助けるために導入される。
【図６】  図６は、本発明の代替の任意の局面を例示し、ここで、膨張可能バルーンは標的肺組織区域の一部分を外部から圧潰するために使用される。
【図７】  図７Ａ〜７Ｄは、標的肺組織区域の外部圧潰において使用するための代替のバルーン設計を例示する。
【図８】  図８は、本発明の方法のさらに別の代替の任意の局面を例示し、ここでプローブは、標的肺組織区域の一部分を係合し圧潰するために使用され得る。
【図９】  図９Ａ〜９Ｃは、代替のプローブ設計を例示する。
【図１０】  図１０Ａ〜１０Ｃは、本発明の方法、システムおよびキットにおいて使用され得る。膨潤可能な閉鎖要素を有する封鎖カテーテルを例示する。
【図１１】  図１１は、本発明の方法に従って、標的肺組織区域に至る空気通路を選択的に閉塞するための図１０Ａ〜１０Ｃの封鎖カテーテルの使用を例示する。
【図１２】  図１２Ａ〜１２Ｃは、本発明の方法において使用される分離／アクセスカテーテルの位置決めを容易にするために使用され得る操縦可能な画像化ガイドワイヤを例示する。
【図１３】  図１３は、本発明の原理に従って構成されるキットを例示する。
【図１４】  図１４Ａ〜１４Ｃは、本発明の方法の原理に従って、機械的プラグを接着性シーラントと共に移植するための代替のカテーテルシステムの使用を例示する。
【図１５】  図１５Ａ〜１５Ｃは、機械的プラグが自己拡張性ではなくバルーンにより拡張可能であることを示す以外は、図１４Ａ〜１４Ｃに示される方法と同様の方法を例示する。
【図１６】  図１６Ａ〜１６Ｆは、本発明に従うさらに別の例示的な方法を例示し、ここで膨潤可能なコラーゲンプラグが始めに導入され、続いて接着性シーラントがこのプラグに隣接して導入される。
【図１】
0004185283.tif 000003
【図２】
0004185283.tif 000004
【図３】
0004185283.tif 000005
0004185283.tif 000006
【図４】
0004185283.tif 000007
0004185283.tif 000008
0004185283.tif 000009
0004185283.tif 000010
【図５】
0004185283.tif 000011
【図６】
0004185283.tif 000012
【図７】
0004185283.tif 000013
【図８】
0004185283.tif 000014
【図９】
0004185283.tif 000015
【図１０】
0004185283.tif 000016
【図１１】
0004185283.tif 000017
【図１２】
0004185283.tif 000018
【図１３】
0004185283.tif 000019
【図１４】
0004185283.tif 000020
【図１５】
0004185283.tif 000021
【図１６】
0004185283.tif 000022
0004185283.tif 000023